【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
複数のネットワークストレージ装置を有するネットワークストレージシステムにおいて、
ネットワーク経由で接続された外部装置により前記ネットワークストレージ装置を利用する利用者に一つの仮想的なネットワークストレージシステムとして前記複数のネットワークストレージ装置をアクセスすることを許可するステップ、および、
前記利用者に前記仮想的なネットワークストレージシステムから独立して前記複数のネットワークストレージ装置をアクセスすることを許可するステップ
からなることを特徴とする、ネットワークストレージ仮想化方法。
【請求項２】
第一のネットワークストレージ装置が一つの仮想的なネットワークストレージ装置として前記複数のネットワークストレージ装置を形成する機能を有する装置に接続されたディスクインターフェース〔Ｉ／Ｆ〕を含むこと、および、
第二のネットワークストレージ装置が一つの仮想的なネットワークストレージ装置として前記複数のネットワークストレージ装置を形成する機能を有する前記装置に接続されたディスクインターフェース〔Ｉ／Ｆ〕、および一つの仮想的なネットワークストレージ装置として前記複数のネットワークストレージ装置を形成する機能を有する前記装置から独立して前記複数のネットワークストレージ装置をアクセスすることを前記外部装置に許可するために前記外部装置に接続可能なホストＩ／Ｆを含むこと、
を特徴とする、請求項１に記載のネットワークストレージ仮想化方法。
【請求項３】
前記外部装置がプライマリボリュームのコピーであるセカンダリボリュームをアクセスすることを許可され、前記セカンダリボリューム以外のボリュームをアクセスすることを許可されないことを特徴とする、請求項２に記載のネットワークストレージ仮想化方法。
【請求項４】
前記外部装置が前記第二のネットワークストレージ装置の前記ホストＩ／Ｆを経由して前記セカンダリボリュームをアクセスすることを特徴とする、請求項３に記載のネットワークストレージ仮想化方法。
【請求項５】
ストレージエリアネットワーク（ＳＡＮ）が前記外部装置と前記第二のネットワークストレージ装置の前記ホストＩ／Ｆの間に接続されることを特徴とする、請求項４に記載のネットワークストレージ仮想化方法。
【請求項６】
一つの仮想的なネットワークストレージ装置として前記複数のネットワークストレージ装置を形成する機能を有する前記装置の外部から前記セカンダリボリュームのアクセス制御を構成するステップをさらに備えることを特徴とする、請求項３に記載のネットワークストレージ仮想化方法。
【請求項７】
前記構成するステップが、
前記プライマリボリュームの完全な初期コピーを取得し、前記セカンダリボリュームに前記完全な初期コピーを格納することによって、ある時点の前記プライマリボリュームと前記セカンダリボリュームの間のミラーリングペアを生成するステップと、
前記第二のストレージ装置にサスペンド要求を受信するステップと、
前記利用者の選択に従ってアクセス制御の設定を許可するためにサスペンドステータスに前記ミラーリングペアを配置するステップと、
もし前記利用者が前記外部装置を操作することによりリードオンリモードを選択すると、前記外部装置からの入力／出力（Ｉ／Ｏ）要求に対してリードオンリモードに前記セカンダリボリュームを設定して、前記ミラーリングペアを再同期するステップと、および
もし前記利用者が前記外部装置を操作することによりリード／ライトモードを選択すると、前記外部装置からの入力／出力（Ｉ／Ｏ）要求に対してリード／ライトモードに前記セカンダリボリュームを設定して、前記ミラーリングペアを再同期するステップと、を備えることを特徴とする、請求項６に記載のネットワークストレージ仮想化方法。
【請求項８】
前記セカンダリボリュームが前記リードオンリモードに設定されている時には、
前記プライマリボリュームと前記セカンダリボリュームを含む前記ミラーリングペアの同期化をサスペンドするステップと、
前記ホストＩ／Ｆを経由してのＩ／Ｏ要求に応じて前記セカンダリボリュームのデータへのアクセスを許可するステップと、および
前記アクセスの完了で、前記ミラーリングペアを再同期するステップと、
に従って、前記セカンダリボリュームへのアクセスが実行されることを特徴とする、請求項７に記載のネットワークストレージ仮想化方法。
【請求項９】
前記セカンダリボリュームが前記リード／ライトモードに設定されている時には、
前記プライマリボリュームと前記セカンダリボリュームを含む前記ミラーリングペアの同期化をサスペンドするステップと、
前記ホストＩ／Ｆを経由してのＩ／Ｏ要求に応じて前記セカンダリボリュームのデータへのアクセスを許可するステップと、および
前記アクセスの完了で、前記ミラーリングペアを再同期するステップと、
に従って、前記セカンダリボリュームへのアクセスが実行されることを特徴とする、請求項７に記載のネットワークストレージ仮想化方法。
【請求項１０】
プライマリボリュームを含む第一のネットワークストレージ装置、
前記プライマリボリュームのコピーされたボリュームであるセカンダリボリュームと前記セカンダリボリューム以外のボリュームを含む第二のネットワークストレージ装置、および
前記第一および第二のネットワークストレージ装置のそれぞれに接続されて、ネットワーク経由で接続された外部装置により前記第一および第二のネットワークストレージ装置のそれぞれを利用する利用者に一つの仮想的なネットワークストレージシステムとして前記ネットワークストレージ装置にアクセスすることを許可する仮想化装置、
を備え、
前記利用者が前記仮想化装置から独立して前記ネットワークストレージ装置をアクセスすることを許可されることを特徴とするストレージシステム。
【請求項１１】
前記第一のネットワークストレージ装置が仮想化装置に接続されたディスクインターフェース（Ｉ／Ｆ）を含むこと、および
前記第二のネットワークストレージ装置が前記仮想化装置に接続されたディスクＩ／Ｆ、および前記仮想化装置から独立して前記ネットワークストレージ装置を前記外部装置がアクセスすることを許可するために前記外部装置に接続可能なホストＩ／Ｆを含むこと、を特徴とする、請求項１０に記載のストレージシステム。
【請求項１２】
前記外部装置が前記プライマリボリュームのコピーである前記セカンダリボリュームをアクセスすることを許可され、前記セカンダリボリューム以外の前記ボリュームをアクセスすることを許可されないことを特徴とする、請求項１１に記載のストレージシステム。
【請求項１３】
前記外部装置が前記第二のネットワークストレージ装置の前記ホストＩ／Ｆ経由で前記セカンダリボリュームをアクセスすることを特徴とする、請求項１２に記載のストレージシステム。
【請求項１４】
ストレージエリアネットワーク（ＳＡＮ）が前記外部装置と前記第二のネットワークストレージ装置の前記ホストＩ／Ｆの間に接続されることを特徴とする、請求項１３に記載のストレージシステム。
【請求項１５】
前記第一のネットワークストレージ装置が前記仮想化装置に接続されたディスクインターフェース（Ｉ／Ｆ）を含むこと、および
前記第二のネットワークストレージ装置が前記仮想化装置に接続された第一のホストＩ／Ｆ、および前記仮想化装置から独立して前記ネットワークストレージ装置を外部装置がアクセスすることを許可するために前記外部装置に接続可能な第二のホストＩ／Ｆを含むこと、
を特徴とする、請求項１０に記載のストレージシステム。
【請求項１６】
前記外部装置が前記プライマリボリュームのコピーである前記セカンダリボリュームをアクセスすることを許可され、前記セカンダリボリューム以外の前記ボリュームをアクセスすることを許可されないことを特徴とする、請求項１５に記載のストレージシステム。
【請求項１７】
前記外部装置が前記第二のネットワークストレージ装置の前記第二のホストＩ／Ｆ経由で前記セカンダリボリュームをアクセスすることを特徴とする、請求項１６に記載のストレージシステム。
【請求項１８】
ストレージエリアネットワーク（ＳＡＮ）が前記外部装置と前記第二のネットワークストレージ装置の前記第二のホストＩ／Ｆの間に接続されることを特徴とする、請求項１７に記載のストレージシステム。
【請求項１９】
ワイドストレージエリアネットワーク（ＷＳＡＮ）が前記仮想化装置と前記第二のネットワークストレージ装置の前記第一のホストＩ／Ｆの間に接続されることを特徴とする、請求項１７に記載のストレージシステム。
【請求項２０】
前記セカンダリボリュームのアクセス制御が前記仮想化装置の外部から構成されることを特徴とする、請求項１２に記載のストレージシステム。
【請求項２１】
前記セカンダリボリュームの前記アクセス制御が、前記プライマリボリュームの完全な初期コピーを取得し前記セカンダリボリュームに前記完全な初期コピーを格納することによってある時点での前記プライマリボリュームと前記セカンダリボリュームの間のミラーリングペアを生成し、前記第二のストレージ装置にサスペンド要求を受信し、前記利用者の選択によって前記アクセス制御の設定を許可するためにサスペンドステータスに前記ミラーリングペアを配置し、もし前記利用者が前記外部装置を操作することによりリードオンリモードを選択すると、前記外部装置からの入力／出力（Ｉ／Ｏ）要求に対して前記セカンダリボリュームをリードオンリモードに設定し前記ミラーリングペアを再同期し、もし前記利用者が前記外部装置を操作することによりリード／ライトモードを選択すると、前記外部装置からの入力／出力（Ｉ／Ｏ）要求に対して前記セカンダリボリュームをリード／ライトモードに設定し前記ミラーリングペアを再同期することによって構成されることを特徴とする、請求項２０に記載のストレージシステム。
【請求項２２】
前記セカンダリボリュームが前記リードオンリモードに設定されている時には、前記セカンダリボリュームへのアクセスが、前記プライマリボリュームと前記セカンダリボリュームを含む前記ミラーリングペアの同期をサスペンドし、前記ホストＩ／Ｆを経由したＩ／Ｏ要求に応じて前記セカンダリボリュームのデータへのアクセスを許可し、前記アクセスが完了すると、前記ミラーリングペアを再同期することによって実行されることを特徴とする、請求項２１に記載のストレージシステム。
【請求項２３】
前記セカンダリボリュームが前記リード／ライトモードに設定されている時には、前記セカンダリボリュームへのアクセスが、前記プライマリボリュームと前記セカンダリボリュームを含む前記ミラーリングペアの同期をサスペンドし、前記ホストＩ／Ｆを経由したＩ／Ｏ要求に応じて前記セカンダリボリュームのデータへのアクセスを許可し、前記アクセスが完了すると、前記ミラーリングペアを再同期することによって実行されることを特徴とする、請求項２１に記載のストレージシステム。